【手続補正書】
【提出日】平成26年1月21日(2014.1.21)
【手続補正１】
【補正対象書類名】明細書
【補正対象項目名】発明の名称
【補正方法】変更
【補正の内容】
【発明の名称】紐締めシステム及び紐締めシステムを締め付ける方法
【手続補正２】
【補正対象書類名】明細書
【補正対象項目名】０００３
【補正方法】変更
【補正の内容】
【０００３】
本開示は、着用可能な製品（例えば、履物）に使用するための紐締めシステム（lacing systems）及び紐締めシステムを締め付ける方法に関し、より具体的には紐締めシステムに使用するガイドに関する。
【手続補正３】
【補正対象書類名】特許請求の範囲
【補正対象項目名】全文
【補正方法】変更
【補正の内容】
【特許請求の範囲】
【請求項１】
締付け縁部を備える製品と、
締め紐と、
前記製品に結合され、前記締め紐をスプールに引き込んで前記紐締めシステムを締め付けるように構成されたリール式締付け機構と、
前記製品の前記締付け縁部に結合された第１の締め紐ガイド要素であって、第１の締め紐係止場所で前記締め紐を受けて、第２の締め紐係止場所で前記締め紐が出ることを可能にするように構成された、第１の締め紐ガイド要素と、
前記製品の前記締付け縁部に結合された第２の締め紐ガイド要素であって、第３の締め紐係止場所で前記締め紐を受けて、第４の締め紐係止場所で前記締め紐が出ることを可能にするように構成された、第２の締め紐ガイド要素とを具備し、
前記締め紐の一部分が、前記第１および第２の締め紐ガイド要素の間に概して真っ直ぐに延びるように、前記締め紐が、前記第１および第２の締め紐ガイド要素に通されているとともに、
第１の直線軸が前記第１および第２の締め紐係止場所を通過し、第２の直線軸が前記第３および第４の締め紐係止場所を通過し、前記第１および第２の締め紐ガイド要素が実質的に弛緩位置にあるときに、前記第１および第２の直線軸の間に形成される角度が、約９５°から約１７５°の間である、紐締めシステム。
【請求項２】
前記製品の前記締付け縁部に結合された第３の締め紐ガイド要素であって、前記締め紐を第５の締め紐係止場所で受けて、前記締め紐が第６の締め紐係止場所で出ることを可能にするように構成された第３の締め紐ガイド要素と、
前記製品の前記締付け縁部に結合された第４の締め紐ガイド要素であって、前記締め紐を第７の締め紐係止場所で受けて、前記締め紐が第８の締め紐係止場所で出ることを可能にするように構成された第４の締め紐ガイド要素と、
を更に具備する、請求項１に記載の紐締めシステムであって、
第３の直線軸が前記第５および第６の締め紐係止場所を通過し、第４の直線軸が前記第７および第８の締め紐係止場所を通過し、前記第３および第４の締め紐ガイド要素が実質的に弛緩位置にあるときに、前記第３および第４の直線軸の間に形成される角度が約９５°から約１７５°の間であり、
前記締め紐が、前記第５の締め紐係止場所を通って前記第３の締め紐ガイド要素に入り、前記第３の締め紐ガイド要素を通って延び、前記第６の締め紐係止場所を通って前記第３の締め紐ガイド要素を出て、前記第３および第４の締め紐ガイド要素の間に概して真っ直ぐに延び、前記第７の締め紐係止場所を通って前記第４の締め紐ガイド要素に入り、前記第４の締め紐ガイド要素を通って延び、前記第８の締め紐係止場所を通って前記第４の締め紐ガイド要素を出て、前記製品の前記締付け縁部から離れるように前記第８の締め紐係止場所から延びる、紐締めシステム。
【請求項３】
前記第１の締め紐ガイド要素が前記製品に取り付けられて、第１の方向に沿って延びており、前記第２の締め紐ガイド要素が前記製品に取り付けられて、第２の方向に沿って延びており、前記第１および第２の締め紐ガイド要素が、前記第１および第２の方向の間の角度が約５°から約８５°の間となるように、互いに向かって角度がつけられている、請求項１に記載の紐締めシステム。
【請求項４】
前記締め紐が、前記第１の締め紐ガイド要素から前記第２の締め紐ガイド要素へと、その間にいかなる追加の構造も連結することなく、真っ直ぐに延びている、請求項１に記載の紐締めシステム。
【請求項５】
前記第１の締め紐ガイド要素が、前記第２の締め紐ガイド要素から、約２ｍｍから約３０ｍｍの間の距離だけ間隔を空けられている、請求項１に記載の紐締めシステム。
【請求項６】
前記第１の締め紐ガイド要素が、前記第２の締め紐ガイド要素から、約５ｍｍから約１０ｍｍの間の距離だけ間隔を空けられている、請求項１に記載の紐締めシステム。
【請求項７】
前記第１および第２の締め紐ガイド要素が、前記製品の実質的直線部分上に配置されている、請求項１に記載の紐締めシステム。
【請求項８】
前記第１および第２の締め紐ガイド要素の少なくとも一方が可撓性ウェビングを備えている、請求項１に記載の紐締めシステム。
【請求項９】
前記可撓性ウェビングが、
第１および第２の開口を含み、前記可撓性ウェビングの一端に形成されたループであって、前記第１の開口が前記第１の締め紐係止場所を形成し、前記第２の開口が前記第２の締め紐係止場所を形成する、ループと、
前記製品に取り付けられて、前記ループから延びる、ストラップ部分とを含む、請求項８に記載の紐締めシステム。
【請求項１０】
前記製品が、靴底部に結合された上部を含む履物製品であり、前記可撓性ウェビングの前記ストラップ部分が、前記上部と前記靴底部の間の接合部の近傍で前記履物製品に取り付けられている、請求項９に記載の紐締めシステム。
【請求項１１】
前記製品が、踵部分を有する履物製品であり、前記ストラップが、装着者の足のまわりに前記履物製品の前記踵部分を締め付けるように構成されている、請求項９に記載の紐締めシステム。
【請求項１２】
前記可撓性ウェビングが、第１の場所で前記製品に取り付けられた第１の端部と、
第２の場所で前記製品に取り付けられた第２の端部と、
前記第１および第２の場所の間に延びるストラップとを具備し、前記ストラップが、前記第１および第２の場所の間の距離よりも長く、それによって前記ストラップが、前記第１および第２の場所よりも前記締付け縁部の反対側にある第３の場所で、前記ストラップを通る締め紐経路を提供する、請求項８に記載の紐締めシステム。
【請求項１３】
前記製品が、上部と靴底部とを含む履物製品であり、前記第１の場所が、前記上部と前記靴底部の間の接合部の近傍であり、前記第２の場所が、前記履物製品の前記第１の側面部の前記締付け縁部の近傍である、請求項１２に記載の紐締めシステム。
【請求項１４】
前記製品が、上部と靴底部を含む履物製品であり、前記第１の場所が前記上部と前記靴底部の間の接合部の近傍、前記第２の場所が前記接合部の近傍であり、前記第１および第２のストラップ部分が互いに方向をそらせるように、第１のストラップ部分が前記第１の場所から前記締め紐経路まで延びており、第２のストラップ部分が前記第２の場所から前記締め紐経路まで延びている、請求項１２に記載の紐締めシステム。
【請求項１５】
紐締めシステムを締め付ける方法であって、
第１の側面部と、前記第１の側面部の概して反対側の第２の側面部とを有する製品であって、前記第１および第２の側面部が、引き寄せられて前記製品を締め付けるとともに、引き離されて製品を緩めるように構成され、締め紐と、前記製品に結合され、前記締め紐をスプールに引き込んで前記紐締めシステムを締め付けるように構成されたリール式締付け機構とを具備する製品を提供するステップであって、
前記製品が、
前記製品の前記第１の側面部に結合されて、第１の締め紐係止場所で前記締め紐を受けて、第２の締め紐係止場所で前記締め紐が出ることを可能にするように構成された、第１の締め紐ガイド要素であって、前記第１の締め紐係止場所が前記第２の締め紐係止位置よりも前記製品の前記第２の側面部に近く配置されている、第１の締め紐ガイド要素と、
前記製品の前記第１の側面部に結合された第２の締め紐ガイド要素であって、第３の締め紐係止場所で前記締め紐を受けて、第４の締め紐係止場所で前記締め紐が出ることを可能にするように構成された、第２の締め紐ガイド要素であって、前記第４の締め紐係止場所が、前記第３の締め紐係止場所よりも、前記製品の前記第２の側面部に近く配置されている第２の締め紐ガイド要素と、
を具備する締め紐ガイドを備え、
前記締め紐が、前記製品の前記第２の側面部から前記第１の締め紐係止場所へと延びて、前記第１の締め紐係止場所を通って前記第１の締め紐要素に入り、前記第１の締め紐ガイド要素を通って延び、前記第２の締め紐係止場所を通って前記第１の締め紐ガイド要素を出て、前記製品の前記第１の側面部上の前記第１および第２の締め紐ガイド要素の間を通過し、前記第３の締め紐係止場所を通り前記第２の締め紐ガイド要素に入り、前記第２の締め紐ガイド要素を通って延びて、前記第４の締め紐係止場所を通って前記第２の締め紐ガイド要素を出て、前記第４の締め紐係止場所から前記製品の前記第２の側面部に向かって延びる、ステップと、
前記リール式締付け機構を用いて前記締め紐を前記スプールに引き込むことによって前記紐締めシステムを締め付けるステップと、
を具備する方法。
【請求項１６】
前記製品が、
前記製品の前記第１の側面部に結合されて、前記締め紐を第５の締め紐係止場所で受けて、第６の締め紐係止場所で前記締め紐が出ることを可能にするように構成された第３の締め紐ガイド要素であって、前記第５の締め紐係止場所が、前記第６の締め紐係止場所よりも前記製品の前記第２の側面部に近く配置されている、第３の締め紐ガイド要素と、
前記製品の前記第１の側面部に結合されて、第７の締め紐係止場所で前記締め紐を受けて、第８の締め紐係止場所で前記締め紐が出ることを可能にするように構成された第４の締め紐ガイド要素であって、前記第８の締め紐係止場所が、前記第７の締め紐係止場所よりも、前記製品の前記第２の側面部に近く配置されている、第４の締め紐ガイド要素と、
を具備する、第２の締め紐ガイドであって、
前記締め紐が、前記製品の前記第２の側面部から前記第５の締め紐係止場所へと延びて、前記第５の締め紐係止場所を通って前記第３の締め紐ガイド要素に入り、前記第３の締め紐ガイド要素を通って延び、前記第６の締め紐係止場所を通って前記第３の締め紐ガイド要素を出て、前記製品の前記第１の側面部上の前記第３および第４の締め紐ガイド要素の間を通過し、前記第７の締め紐係止場所を通って前記第４の締め紐ガイド要素に入り、前記第４の締め紐ガイド要素を通って延び、前記第８の締め紐係止場所を通って前記第４の締め紐ガイド要素を出て、前記第８の締め紐係止場所から前記製品の前記第２の側面部に向かって延びる、第２の締め紐ガイドを備える、請求項１５に記載の方法。
【請求項１７】
前記第２の締め紐ガイドが前記締め紐ガイドに隣接し、前記第２の締め紐係止場所と前記第３の締め紐係止場所との間の距離が、前記第４の締め紐係止場所と前記第５の締め紐係止場所との間の距離よりも大きい、請求項１６に記載の方法。
【請求項１８】
前記締め紐の直径が約０．０１５インチから約０．１インチの間である、請求項１に記載の紐締めシステム。 
【請求項１９】
前記第１の締め紐係止場所および前記第４の締め紐係止場所を通って引かれる軸が、前記製品の中央線と実質的に平行である、請求項１に記載の紐締めシステム。
【請求項２０】
前記第１の締め紐ガイド要素と前記第２の締め紐ガイド要素が前記製品の中央線を横断する線をまたいで実質的に対称である、請求項１に記載の紐締めシステム。
【請求項２１】
前記第１の締め紐係止場所に接近する締め紐経路が前記製品の中央線に直交し、前記第４の締め紐係止場所を離れる締め紐経路が前記製品の前記中央線に直交する、請求項１に記載の紐締めシステム。
【請求項２２】
請求項１に記載の紐締めシステムであって、
前記紐締めシステムが、前記製品の第１の側面部上の第１の締め紐ガイドを具備し、前記第１の締め紐ガイドが前記第１および第２の締め紐ガイド要素を備え、
前記第１の締め紐係止場所が、前記第１の締め紐ガイド用の締め紐の入口を提供し、前記第４の締め紐係止場所が、前記第１の締め紐ガイド用の締め紐の出口を提供し、前記紐締めシステムが、前記製品の前記第１の側面部上の第２の締め紐ガイドを更に具備し、
前記第２の締め紐ガイドが、締め紐の入口と締め紐の出口を具備し、
前記第１の締め紐ガイドの前記締め紐の入口と前記第１の締め紐ガイドの前記締め紐の出口との間の距離が、前記第１の締め紐ガイドの前記締め紐の出口と前記第２の締め紐ガイドの前記締め紐の入口との間の距離より大きい、
紐締めシステム。
【請求項２３】
前記第１の締め紐ガイド要素のストラップと、隣接する締め紐ガイド要素のストラップとが交差する、請求項１に記載の紐締めシステム。
【請求項２４】
前記第１の締め紐ガイド要素の前記ストラップが、前記隣接する締め紐ガイド要素の前記ストラップに結合される、請求項２３に記載の紐締めシステム。
【請求項２５】
前記第１の締め紐ガイド要素の前記ストラップが、前記隣接する締め紐ガイド要素の前記ストラップに巻きかかる、請求項２３に記載の紐締めシステム。
【請求項２６】
前記第１の締め紐ガイド要素の前記ストラップと前記隣接する締め紐ガイド要素の前記ストラップが、交差する箇所で縫い合わされる、請求項２３に記載の紐締めシステム。